(57)【要約】【課題】従来の掃除具に比べて、塵埃の飛散が小さく、床面を傷つける可能性が低く、清掃部材の交換や洗浄が不要な掃除具及び集塵ヘッドを提供する。【解決手段】床面１を上方より覆う集塵ヘッド２と、それに取り付けられた把手３とからなり、集塵ヘッド２を前方に移動させて床面１上にある塵埃を捕獲する掃除具であって、集塵ヘッド２は、上板１１と、その下面に固定された複数のブラシ体１２とからなり、ブラシ体１２は、床面に向かう方向に向けて植毛され、床面に平行な面内で線状に連続して配置されたブラシ１４を有し、ブラシ１４の前側の先端と後側の後端とを結ぶ直線が前方に対して６０度以下の角度を成し、かつ、ブラシ１４の先端の幅が３０ｍｍ以下であり、複数のブラシ体１２は前方への移動方向に直交する方向に並置され、ブラシ１４の植毛の先端が床面１に同時に接触可能に構成されている【選択図】図１
2019030652.tif 000002
【特許請求の範囲】
【請求項１】
床面を上方より覆う集塵ヘッドと、該集塵ヘッドに取り付けられた把手とからなり、前記集塵ヘッドを前方に移動させることにより前方の床面上にある塵埃を捕獲する掃除具であって、
前記集塵ヘッドは、上板と、該上板の下面に固定された複数のブラシ体とからなり、
前記ブラシ体は、上板から下方の床面に向かう方向に向けて植毛され、床面に平行な面内で線状に連続して配置されたブラシを有し、前記の線状に配置されたブラシの前側の先端と後側の後端とを結ぶ直線が前記の前方への移動方向に対して６０度以下の角度を成すように構成され、かつ、前記の線状に配置されたブラシの前側の先端の前記の前方への移動方向に直交する方向の幅が３０ｍｍ以下であり、
前記の複数のブラシ体は前記の前方への移動方向に直交する方向に並置され、
前記複数のブラシ体のブラシの植毛の先端が前記床面に同時に接触可能に構成されていることを特徴とする掃除具。
【請求項２】
前記上板は少なくとも一部に透明な物質を有することを特徴とする請求項１に記載の掃除具。
【請求項３】
前記の並置された複数のブラシ体において、互いに隣接するブラシ体の線状に配置されたブラシの前方への移動方向に直交する方向の左端または右端の位置が、互いに連続するか、または互いに重なり合うように配置されていることを特徴とする請求項１または２に記載の掃除具。
【請求項４】
前記ブラシ体は、床面に平行な面内で直線状に連続して配置されたブラシを有することを特徴とする請求項１乃至３のいずれか１項に記載の掃除具。
【請求項５】
前記ブラシ体は、上面が前記上板の下面に固定可能な固定部と、該固定部の下面に植毛されたブラシとを有することを特徴とする請求項１乃至４のいずれか１項に記載の掃除具。
【請求項６】
前記ブラシ体の線状に配置されたブラシの前側の先端の前記の前方への移動方向に直交する方向の幅は２０ｍｍ以下であることを特徴とする請求項１乃至５のいずれか１項に記載の掃除具。
【請求項７】
前記ブラシ体の植毛されたブラシの露出する長さは５〜２５ｍｍであることを特徴とする請求項１乃至６のいずれか１項に記載の掃除具。
【請求項８】
前記ブラシ体の線状に植毛されたブラシは床面に対して垂直以外の斜めの角度で植毛されていることを特徴とする請求項１乃至７のいずれか１項に記載の掃除具。
【請求項９】
前記集塵ヘッドは、前記ブラシ体の後方に配置されたブラシを有することを特徴とする請求項１乃至８のいずれか１項に記載の掃除具。
【請求項１０】
床面を上方より覆い、前方に移動させることにより前方の床面上にある塵埃を捕獲する集塵ヘッドであって、
上板と、該上板の下面に固定された複数のブラシ体とからなり、
前記ブラシ体は、上板から下方の床面に向かう方向に向けて植毛され、床面に平行な面内で線状に連続して配置されたブラシを有し、前記の線状に配置されたブラシの前側の先端と後側の後端とを結ぶ直線が前記の前方への移動方向に対して６０度以下の角度を成すように構成され、かつ、前記の線状に配置されたブラシの前側の先端の前記の前方への移動方向に直交する方向の幅が３０ｍｍ以下であり、
前記の複数のブラシ体は前記の前方への移動方向に直交する方向に並置され、
前記複数のブラシ体のブラシの植毛の先端が前記床面に同時に接触可能に構成されていることを特徴とする集塵ヘッド。
【発明の詳細な説明】
【技術分野】
【０００１】
本発明は、棒状の把手の先に設けた集塵ヘッドを床面上で移動させることにより、床面の塵埃を捕獲する機能を有する掃除具及び集塵ヘッドに関する。
【背景技術】
【０００２】
一般に、床面の塵埃を除去するために、棒状の把手の先に植毛されたブラシ等を設けたいわゆる箒や、棒状の把手の先にダスターモップヘッドを取り付けた掃除用モップが使用されている。ダスターモップヘッドの下面には塵埃や汚れを拭取る清掃部材が設けられており、その清掃部材として、特許文献１に記載のような布地とパイルを使用した掃除用モップや、特許文献２に記載のような埃や塵を吸着する交換可能なシートを装着した掃除用モップが使用されている。
【先行技術文献】
【特許文献】
【０００３】
【特許文献１】特許第４７５７０４８号公報
【特許文献２】特開２００７−３７９８２号公報
【発明の概要】
【発明が解決しようとする課題】
【０００４】
従来、通常の箒は、床面を掃くことにより塵埃を移動させ、塵取りなどに集めて除去するものであり、掃くことにより塵埃が前方などに飛散する。そこでこのような箒は病院等の清潔な環境を必要とする室内の清掃には適さない。一方、掃除用モップを使用して床などを掃除する場合、紙や布などの清掃部材が床面をほぼ覆って接触しているため、清掃部材の底面に付着して回収される塵埃よりも、ダスターモップヘッドの前面側に溜まっていく塵埃の割合の方が圧倒的に多い。また、清掃部材の底面で塵埃を捕獲した場合、その中に土砂等の硬い塵埃があると、ダスターモップヘッドを動かすたびに硬い土砂等で床面の柔らかいワックス皮膜を擦ることになり、ワックス皮膜が傷つき、傷内に汚れが浸入することで、床面の黒ずみを増加させてしまう。また、前部に塵埃が集まった状態で、ダスターモップヘッドを動かすと、塵埃が飛散しやすいという問題も生ずる。さらに、従来の掃除用モップでは、紙や布などの清掃部材が汚れるたびに交換や洗浄が必要であり、特に布の場合は使用後の洗濯、消毒、乾燥も必要となり、この作業や交換に多くの時間、コストが割かれている。
【０００５】
そこで、本発明は、係る問題を解決するためになされたものであり、従来の掃除具に比べて、塵埃の飛散が小さく、床面を傷つける可能性が低く、清掃部材の交換や洗浄が不要な掃除具及び集塵ヘッドを提供することを目的とする。
【課題を解決するための手段】
【０００６】
第１の観点では、本発明は、床面を上方より覆う集塵ヘッドと、該集塵ヘッドに取り付けられた把手とからなり、前記集塵ヘッドを前方に移動させることにより前方の床面上にある塵埃を捕獲する掃除具であって、前記集塵ヘッドは、上板と、該上板の下面に固定された複数のブラシ体とからなり、前記ブラシ体は、上板から下方の床面に向かう方向に向けて植毛され、床面に平行な面内で線状に連続して配置されたブラシを有し、前記の線状に配置されたブラシの前側の先端と後側の後端とを結ぶ直線が前記の前方への移動方向に対して６０度以下の角度を成すように構成され、かつ、前記の線状に配置されたブラシの前側の先端の前記の前方への移動方向に直交する方向の幅が３０ｍｍ以下であり、前記の複数のブラシ体は前記の前方への移動方向に直交する方向に並置され、前記複数のブラシ体のブラシの植毛の先端が前記床面に同時に接触可能に構成されていることを特徴とする掃除具を提供する。
【０００７】
本観点の発明の掃除具では、把手を用いて集塵ヘッドを床面上で前方に動かすことにより、床面上の塵埃は集塵ヘッド上板の下側に設けたブラシ体のブラシにより捕獲される。このとき、ブラシは線状に植毛され、その前側の先端の幅が３０ｍｍ以下であるので、従来の横幅方向に一様にブラシを植毛した箒のように前側に塵埃が蓄積されることはない。さらに、ブラシの前側の先端と後側の後端とを結ぶ直線が前方への移動方向に対して６０度以下の角度を成すように構成することにより、捕獲された塵埃がブラシの先端からブラシの後方に移動し、ブラシの後方で大きな塵埃の塊が形成されるので、塵埃の前方からの飛散を防ぐことができ、捕獲可能な塵埃量を多くすることができる。また、集塵ヘッドを前方に動かすことにより、上板の下を通過し、後方へと向かう気流が発生することになり、ブラシに付着した塵埃の上板の外側への飛散を防ぐことができる。
【０００８】
以上のように、本発明の掃除具においては、塵埃は主としてブラシの後方に捕獲されるので、従来の箒やダスターモップヘッドのようにその前面に溜まった塵埃が飛散することがない。また、従来のダスターモップヘッドと比べ、接触部に挟まれた塵埃により床面を傷つけることもなく、ブラシの後方に溜まった塵埃を適度に廃棄すればよいので清掃部材の交換も不要である。
【０００９】
ここで、線状に植毛するブラシの植毛形態は、直線状や任意の曲線状であってもよく、ブラシの前方で捕獲された塵埃が後方に移動するように、その先端と後端とを結ぶ直線が前方への移動方向に対して６０度以下の角度を成すように構成すること、及び先端の横幅が３０ｍｍ以下であれば、本発明の効果が得られることが発明者の実験により確認されている。各ブラシ体のブラシの先端と後端とを結ぶ直線が前方への移動方向に対する角度を例えば５０度以下というようにさらに小さくすることにより捕獲された塵埃がさらに後方に移動しやすくなり、床面に凹凸がある場合にも集塵ヘッドの前方への移動をよりスムーズに行うことができる。上板の形状や上板の下側に配置するブラシ体の形状や個数は、清掃の目的とする床面の形態に応じて選択可能である。また、１つの集塵ヘッドに設置される複数のブラシ体において、各ブラシ体毎にその形状が異なっていてもよい。
【００１０】
第２の観点では、本発明は、第１の観点の掃除具において、前記上板は少なくとも一部に透明な物質を有することを特徴とする。このような構成により、ブラシの後方に溜まった塵埃量を上板の上から観測でき、適度に塵埃の廃棄を行うことができる。この場合、透明な部分は塵埃が蓄積されるブラシ部分の上部のみであってもよく、上板全体が透明であってもよい。
【００１１】
第３の観点では、本発明は、前記第１または第２の観点の掃除具において、前記の並置された複数のブラシ体において、互いに隣接するブラシ体の線状に配置されたブラシの前方への移動方向に直交する方向の左端または右端の位置が、互いに連続するか、または互いに重なり合うように配置されていることを特徴とする。本観点の発明では、複数のブラシ体の各ブラシが横幅方向に互いに隙間を開けることなく配置されていることにより、集塵ヘッドの前方への一度の移動でブラシ全体の幅内の塵埃が捕獲されることになり、清掃における前方へのくり返しの移動回数を少なくすることができる。
【００１２】
第４の観点では、本発明は、前記第1乃至第３の観点の掃除具において、前記ブラシ体は、床面に平行な面内で直線状に連続して配置されたブラシを有することを特徴とする。各ブラシ体においてブラシを曲線状に配置するよりも直線状に配置する方がブラシの先端部分で捕獲された塵埃がブラシの後方部分に移動しやすい。また、ブラシ体の設計や製造も容易となる。
【００１３】
第５の観点では、本発明は、前記第1乃至第４の観点の掃除具において、前記ブラシ体は、上面が前記上板の下面に固定可能な固定部と、該固定部の下面に植毛されたブラシとを有することを特徴とする。このように、固定部を介してブラシを配置する方が、上板に直接ブラシを固定するよりも製造しやすく、ブラシの配置の設計の自由度があり、ブラシ配置の変更が容易である。ブラシの消耗時の交換も容易となる。
【００１４】
第６の観点では、本発明は、前記第1乃至第５の観点の掃除具において、前記ブラシ体の線状に配置されたブラシの前側の先端の前記の前方への移動方向に直交する方向の幅は２０ｍｍ以下であることを特徴とする。ブラシの前方の先端の横幅は３０ｍｍ以下であれば従来の箒や掃除用モップに比べて塵埃の飛散を抑えることが可能であるが、さらにその幅を２０ｍｍ以下とすることにより、その先端に溜まる塵埃が少なくなり、塵埃の飛散をさらに減らすことができる。例えば、先端の幅を５〜１０ｍｍ程度にした集塵ヘッドも作製が可能であり、実用的に使用可能である。
【００１５】
第７の観点では、本発明は、前記第１乃至第６の観点の掃除具において、前記ブラシ体の植毛されたブラシの露出する長さは５〜２５ｍｍであることを特徴とする。本発明の掃除具において、植毛されたブラシの露出する長さは任意に設定することが可能であるが、実用上は５〜２５ｍｍとすることが望ましい。例えば、その長さを５ｍｍ未満とした場合、ブラシの毛が曲がりにくくなり、ブラシの毛の先端面のみが床に接することで、塵埃を後方へと移動させる力が弱まると共に、ブラシの先端面が床を擦ることで清掃の際の音がうるさくなることやブラシの消耗が激しくなるという問題が生ずる。一方、例えばその長さを２５ｍｍより長くした場合、使用中の劣化により、左右方向のバランスが崩れ、ブラシの先端が床に接しない箇所が多くなりやすいという問題がある。これは、上板の中央に柄が設置されているため、集塵ヘッドを前進させた時、上板の中央にあるブラシに上からの圧力が強く加わり、両端に近づくにつれ圧力が弱くなり、そのため、ブラシの露出部分の毛が長いと中央部分のブラシのみが床方向に沈むためである。
【００１６】
第８の観点では、本発明は、前記第１乃至第７の観点の掃除具において、前記ブラシ体の線状に植毛されたブラシは床面に対して垂直以外の斜めの角度で植毛されていることを特徴とする。ブラシを床面に対して斜めにすると、植毛の先端面だけでなく側面が床に接する箇所が多くなるため、先端は広がり、塵埃を後方へと移動させる力を強め、清掃音の減少やブラシの消耗を防ぐ効果が生ずる。特に、ブラシをやや後方に向けて傾けて植毛することにより、ブラシ先端から後方に向け、塵埃を移動させやすくなると同時に、床に凹凸部があってもブラシが引っ掛かることなく凹凸を超えて前進しやすいという利点がある。
【００１７】
第９の観点では、本発明は、前記第１乃至第８の観点の掃除具において、前記集塵ヘッドは、前記ブラシ体の後方に配置されたブラシを有することを特徴とする。このようにブラシ体の後にも何らかのブラシを配置することにより、捕獲された塵埃が後方から飛散するのを防止することができる。また、床には必ず凹凸があるため、前方のブラシ体のみでは、ブラシが床と接しない箇所が発生する可能性があり、その場合でも前方ブラシが取り残した塵埃を後方ブラシで捕獲することができる。すなわち、前方のブラシ体は比較的、大きい塵埃を捕獲し、後方のブラシでは取り残した小さな粒子の塵埃を捕獲するように構成することで、塵埃の回収率を増やし、塵埃の取り残しをなくすことができる。後方のブラシの配置形態としては、横幅方向に直線状に配置することや横幅方向に分割して複数個配置すること、前後方向に多段に配置すること等、目的に応じて任意に設計可能である。
【００１８】
第１０の観点では、本発明は、床面を上方より覆い、前方に移動させることにより前方の床面上にある塵埃を捕獲する集塵ヘッドであって、上板と、該上板の下面に固定された複数のブラシ体とからなり、前記ブラシ体は、上板から下方の床面に向かう方向に向けて植毛され、床面に平行な面内で線状に連続して配置されたブラシを有し、前記の線状に配置されたブラシの前側の先端と後側の後端とを結ぶ直線が前記の前方への移動方向に対して６０度以下の角度を成すように構成され、かつ、前記の線状に配置されたブラシの前側の先端の前記の前方への移動方向に直交する方向の幅が３０ｍｍ以下であり、前記の複数のブラシ体は前記の前方への移動方向に直交する方向に並置され、前記複数のブラシ体のブラシの植毛の先端が前記床面に同時に接触可能に構成されていることを特徴とする集塵ヘッドを提供する。
【００１９】
本観点の発明の集塵ヘッドは、前記の第1の観点の掃除具において集塵ヘッドの部分のみを規定するものであり、その構成は第1の観点の掃除具の集塵ヘッドと同じである。床面上の塵埃を捕獲する掃除具は、把手を用いないでも構成可能である。例えば、小さな床面であれば、把手のない集塵ヘッドを手で保持して清掃してもよい。また、電気掃除機の集塵ヘッドに本観点の発明を適用すれば、ブラシの後方に移動した塵埃は、集塵ヘッドから吸引機能を有する把手中の吸引管に吸引されて掃除機本体に収納される。ロボット型の電気掃除機にも本観点の集塵ヘッドは適用でき、ブラシの後方に移動した塵埃が吸引口に吸引されるように構成できる。
本観点の発明の集塵ヘッドは、上記のような用途においても、第1の観点の掃除具と同様に、塵埃の前方からの飛散を防ぐことができる。集塵ヘッドを前方に動かすことにより、上板の下を通過し、後方へと向かう気流が発生することになり、ブラシに付着した塵埃の上板の外側への飛散を防ぐことができる。また、集塵ヘッドを床面上で前方に動かすことにより、床面上の塵埃は集塵ヘッド上板の下側に設けたブラシ体のブラシにより捕獲され、ブラシの前側の先端と後側の後端とを結ぶ直線が前方への移動方向に対して６０度以下の角度を成すように構成することにより、捕獲された塵埃がブラシの先端からブラシの後方に移動し、ブラシの後方で大きな塵埃の塊が形成されるので、塵埃の前方からの飛散を防ぐことができる。
また、本観点の発明の集塵ヘッドを吸引機能を有する電気掃除機に適用した場合に、吸引口のより近くに捕獲された塵埃が移動するのでより効率的に床面の塵埃を捕獲できる。
【００２０】
なお、本観点の発明の集塵ヘッドにおいて、複数のブラシ体を固定する上板としては、用途に応じて様々な形態が可能であり、ブラシが固定可能な構造であれば、その材料、形状等は任意に選択可能である。例えば、電気掃除機、ロボット型電気掃除機等においては、従来のブラシ等を取り付けた構成部分を上板とすればよい。
【発明の効果】
【００２１】
上記のように、本発明により、従来の掃除具及び集塵ヘッドに比べて、塵埃の飛散が小さく、床面を傷つける可能性が低く、清掃部材の交換や洗浄が不要な掃除具及び集塵ヘッドが得られる。
【図面の簡単な説明】
【００２２】
【図１】実施例１に係る掃除具を簡略化して示す斜視図。
【図２】実施例１の掃除具の集積ヘッドの下面図。
【図３】ブラシ体の構造を説明する図であり、図３（ａ）は下面図、図３（ｂ）は側面図。
【図４】ブラシ体の変形例を示す図であり、図４（ａ）は下面図、図４（ｂ）は側面図。
【図５】本発明による掃除具の試作品例を示す写真であり、図５（ａ）が実施例１の試作品の一例、図５（ｂ）が実施例１の変形例の試作品の一例を示す。
【図６】実施例２に係る掃除具の集積ヘッドの下面図。
【図７】実施例２の集積ヘッドに配置されたブラシ体の構造を説明する図であり、図７（ａ）は下面図、図７（ｂ）は側面図。
【図８】実施例３に係る掃除具の集積ヘッドの下面図。
【発明を実施するための形態】
【００２３】
以下、図面を参照して本発明の掃除具を実施例により詳細に説明する。なお、図面の説明において同一の要素には同一符号を付し、その重複した説明を省略する。
【実施例１】
【００２４】
図１は、実施例１に係る掃除具を簡略化して示す斜視図である。図１において、本実施例の掃除具１０は、床面１を上方より覆う集塵ヘッド２と、集塵ヘッド２に取り付けられた把手３とからなり、集塵ヘッド２を矢印４に示す前方に移動させることにより前方の床面１上にある塵埃を捕獲する掃除具である。集塵ヘッド２は、上板１１と、上板１１の下面に固定された複数のブラシ体１２とから構成されている。本実施例においては、ブラシ体１２は、上面が上板１１の下面に固定可能な固定部１３と、固定部１３の下面に植毛されたブラシ１４とを有しており、ブラシ１４は、上板１１から下方の床面１に向かう方向に向けて植毛され、床面に平行な面内で直線状に連続して配置されている。また、ブラシ１４は、互いに隣接するブラシ体１２のブラシ１４の前方への移動方向に直交する方向の左端及び右端が互いに連続するように配置されている。上板１１は透明な物質で構成されている。また固定部１３は上板１１にねじにより固定されている。
【００２５】
図２は実施例１の掃除具１０の集積ヘッド２の下面図であり、図３はブラシ体１２の構造を説明する図であり、図３（ａ）は下面図、図３（ｂ）は側面図である。図２において、直線状に配置されたブラシ１４の前側の先端と後側の後端とを結ぶ直線が前方への移動方向に対して成す角度θは３０〜５０度程度の角度を成すように構成されている。さらに、直線状に配置されたブラシの前側の先端の前方への移動方向に直交する方向の幅ｄが１０〜２０ｍｍ程度となるように設定されている。また、本実施例においては、集塵ヘッド２は、上板１１の下面のブラシ体１２の後方に直線状に配置されたブラシ１６を有している。ブラシ１６はブラシ１４と同様に、上板１１に固定可能な固定部１５の下面から床面１に向かう方向に植毛されている。このブラシ１６により、捕獲された塵埃が後方から飛散するのを防止することができる。ここで、固定部１３及び固定部１５の高さＨは同じであり、それらにそれぞれ植毛されたブラシ１４及びブラシ１６の露出する長さｈも同じであるので、すべてのブラシ１４およびブラシ１６の先端が床面１に同時に接触可能に構成されている。高さＨの値は１０〜１５ｍｍ程度、長さｈは１０〜２０ｍｍ程度である。上板１１の厚さの例としては、５〜１０ｍｍ程度であってもよい。
【００２６】
なお、角度θの値としては６０度以下、ｄの値としては３０ｍｍ以下であれば、前側に塵埃が蓄積されることはなく、捕獲された塵埃がブラシの先端からブラシの後方に移動することが確認されている。
【００２７】
本実施例において、上板１１および固定部１３、１５の材料としてはプラスチック板やアクリル板などが使用でき、ブラシ１４、１６の材料としては化学繊維や動物の毛などが使用できる。また、上板１１の平面形状は前後方向の幅が１００〜２００ｍｍ程度、横幅方向は２００〜６００ｍｍ程度とすることができる。また、上板１１の平面形状は、矩形でなくとも前後方向の幅より横幅方向が大きい楕円形状、半円形状など任意の形状であってもよい。
【００２８】
図４は、本実施例に使用可能なブラシ体の変形例を示す図であり、図４（ａ）は下面図、図４（ｂ）は側面図である。図３においては、ブラシ１４のブラシは、５〜１５ｍｍ程度の一定の幅の中に密集して植毛されて直線状に配置されているが、図４においては、ブラシ１８のブラシは、小さな円形の中に密集して植毛され、その小さな円形が直線状に配置されている。すなわち、本発明における線状に連続して配置されたブラシとは、線状に連続して配置されたブラシの中に植毛の粗密や隙間があっても、その隙間が、前方への移動方向に直交する方向に対して塵埃が通り抜けるような隙間を生じなければ構わない。
【００２９】
図５は、本発明による掃除具の試作品例を示す写真であり、図５（ａ）が実施例１の試作品の一例、図５（ｂ）が実施例１の変形例の試作品の一例を示す。図５（ａ）の掃除具の集塵ヘッドの上板の平面形状は図１と同様に長方形であるが、図５（ｂ）の掃除具の集塵ヘッドの上板の平面形状は左右の両端部に直角のコーナー部を有する６角形である。このコーナー部は部屋の隅のコーナーの形状に一致し、かつ、部屋の隅を清掃する際に壁と床との角にブラシの先端が届くようにブラシの先端がやや外側に向くように植毛されているので、部屋のコーナーの塵埃をきれいに掃きとることが可能である。さらに、図５（ｂ）の集塵ヘッドでは、６角形の各角部にボールベアリングを設置しているので、床の端を清掃する際に集塵ヘッドを壁に沿ってスムーズに移動させることができる。また、把手に対して集塵ヘッドが回転可能に保持されているので、ボールベアリングがあることにより、集塵ヘッドが壁に当たった時に集塵ヘッドの回転が容易となる。
【実施例２】
【００３０】
図６は、実施例２に係る掃除具の集塵ヘッド２０の下面図である。図７は集積ヘッド２０に配置されたブラシ体２２の構造を説明する図であり、図７（ａ）は下面図、図７（ｂ）は側面図である。本実施例の掃除具は、実施例１と同様に、床面を上方より覆う集塵ヘッド２０と、集塵ヘッド２０に取り付けられた把手とからなり、集塵ヘッド２０を前方に移動させることにより前方の床面上にある塵埃を捕獲する掃除具である。集塵ヘッド２０は、実施例１の上板１１と同様な形状の上板２１と、上板２１の下面に固定された複数のブラシ体２２とから構成されている。本実施例においては、ブラシ体２２は、上面が上板２１の下面に固定可能な固定部２３と、固定部２３の下面に植毛されたブラシ２４とを有している。
【００３１】
本実施例においても、ブラシ２４は、上板２１から下方の床面に向かう方向に向けて植毛され、床面に平行な面内で直線状に連続して配置されているが、植毛の方向は床面に対して垂直ではなく、図７（ｂ）に示すように、集塵ヘッド２０の後方に向けて斜めに傾けて植毛されている。これにより、ブラシ先端から後方に向け、塵埃を移動させやすくなると同時に、床に凹凸部があってもブラシが引っ掛かることなく凹凸を超えて前進しやすいという利点がある。また、ブラシ２４は集塵ヘッド２０の左側、右側で対称な向きに配置され、前方への移動方向に対して成す角度θは４０〜５０度程度の角度を成すように構成されている。また、ブラシ２４は、互いに隣接するブラシ体２２のブラシ２４の左端及び右端の位置が互いに重なり、前方への移動に対して塵埃が通り抜けるような隙間を生じないように配置されている。ブラシ２４の前側の先端の前方への移動方向に直交する方向の幅は１０ｍｍ程度となるように設定されている。
【００３２】
本実施例においても、集塵ヘッド２０は、上板２１の下面のブラシ体２２の後方に直線状に配置されたブラシ２６を有している。このブラシ２６により、ブラシ２４により捕獲されて後方に移動した塵埃の一部が捕獲されると同時に、集塵ヘッド２１の後方からの塵埃の飛散を防ぐことができる。固定部２３の高さやブラシ２４の植毛の露出部の長さは実施例１と同様であり、各部の材質も同様である。
【実施例３】
【００３３】
図８は、実施例３に係る掃除具の集積ヘッド３０の下面図である。本実施例の掃除具は、実施例１と同様に、床面を上方より覆う集塵ヘッド３０と、集塵ヘッド３０に取り付けられた把手とからなり、集塵ヘッド３０を前方に移動させることにより前方の床面上にある塵埃を捕獲する掃除具である。集塵ヘッド３０は、実施例１の上板１１と同様な形状の上板３１と、上板３１の下面に固定された複数のブラシ体とから構成され、ブラシ体は、上面が上板２１の下面に固定可能な固定部と、固定部の下面に植毛されたブラシ３４とを有している。
【００３４】
本実施例においても、ブラシ３４は、上板３１から下方の床面に向かう方向に向けて植毛され、床面に平行な面内で線状に連続して配置されているが、本実施例においては、図８に示すように、その線状の形態は楕円の一部を成す線状である。線状に配置されたブラシの前側の先端と後側の後端とを結ぶ直線が前方への移動方向に対して成す角度θは３０〜６０度となるように構成され、かつ、ブラシの前側の先端の前記の前方への移動方向に直交する方向の幅ｄは１０〜３０ｍｍとなるように構成されている。また、植毛の方向は床面に対して垂直であっても、後方に向けて斜めに傾けて植毛されていてもよい。
【００３５】
本実施例においても集塵ヘッド３０は、上板３１の下面のブラシ３４の後方に直線状に配置されたブラシ３６を有しており、このブラシ３６により、ブラシ３４により捕獲されて後方に移動した塵埃の一部を捕獲すると同時に、集塵ヘッド３１の後方からの塵埃の飛散を防いでいる。固定部の高さやブラシ３４の植毛の露出部の長さは実施例１や実施例２と同様であり、各部の材質も同様である。  
【００３６】
なお、本発明に係る集積ヘッドの例としては、上記の実施例１〜３の掃除具の集塵ヘッド２、２０、３０や、図５の掃除具の試作品例の集塵ヘッド部分を独立して集塵ヘッドとして用いることができる。
【００３７】
以上の何れの実施例の掃除具及び集塵ヘッドにおいても、従来の掃除具に比べて、塵埃の飛散が小さく、床面を傷つける可能性が低く、清掃部材の交換や洗浄が不要な掃除具及び集塵ヘッドが得られることが、実験的に確認された。
【００３８】
なお、本発明は上記の実施例に限定されるものではないことは言うまでもなく、目的や用途に応じて設計変更可能である。例えば、集塵ヘッドの平面形状、線状に配置されたブラシの形態、ブラシ体の構成や横方向への配置数など任意に選択可能である。さらに、集塵ヘッドに、汚れの拭取りやワックス掛けなどの他の機能を有する部材を付加することも可能である。
【符号の説明】
【００３９】
１    床面
２、２０、３０    集塵ヘッド    
３    把手
４    矢印
１０    掃除具
１１、２１、３１    上板
１２、２２    ブラシ体
１３、１５、１７、２３    固定部
１４、１６、１８、２４、２６、３４、３６    ブラシ
【図１】
2019030652.tif 000003
【図２】
2019030652.tif 000004
【図３】
2019030652.tif 000005
【図４】
2019030652.tif 000006
【図５】
2019030652.tif 000007
【図６】
2019030652.tif 000008
【図７】
2019030652.tif 000009
【図８】
2019030652.tif 000010